(57)【要約】【課題】人の手や足の指を所望の押圧力で押圧してマッサージすることのできる指マッサージ具の提供を目的とする。【解決手段】指ｆを差し込む略筒状の差込部１２を構成するとともに、該差込部１２に差し込んだ指を押圧する押圧部１７を構成し、上記差込部１２の差込方向の力を上記押圧部で押圧する径内方向の力に変更する力方向変更手段１６を備えた。さらに、上記差込部１２に、上記力方向変更手段１６の上記差込部１２に差し込んだ上記指ｆの指先方向Ｄ１への引張りを許容する引張り手段１３を備え、上記力方向変更手段１６を、上記引張り手段１３の引張りに応じて上記押圧部１７による押圧力を発生させるよう縮径する縮径部材で形成した。【選択図】図１
2010099111.tif 000002
【特許請求の範囲】
【請求項１】
指を押圧してマッサージする指マッサージ具であって、
上記指を差し込む略筒状の差込部を構成するとともに、
該差込部に差し込んだ上記指を押圧する押圧部を構成し、
上記差込部の差込方向の力を上記押圧部で押圧する径内方向の力に変更する力方向変更手段を備えた
指マッサージ具。
【請求項２】
上記押圧部に、上記差込部に差し込んだ上記指の側へ突出した突起を形成した
請求項１に記載の指マッサージ具。
【請求項３】
上記差込部に、上記力方向変更手段の上記差込部に差し込んだ上記指の指先方向の引張りを許容する引張り手段を備え、
上記力方向変更手段を、上記引張り手段の引張りに応じて上記押圧部による押圧力を発生させるよう縮径する縮径部材で形成した
請求項１、又は、２に記載の指マッサージ具。
【請求項４】
上記縮径部材を、差込方向に沿った螺旋状である螺旋状部で構成した
請求項３に記載の指マッサージ具。
【請求項５】
上記螺旋状部を、第一螺旋状体と、該第一螺旋状体に対して螺旋方向が反対巻方向である第二螺旋状体とで構成し、
上記差込部を、
上記第一螺旋状体と上記第二螺旋状体とを交差させながら互いに編み込んだ編み物構造で構成した
請求項４に記載の指マッサージ具。
【請求項６】
上記螺旋状部を、帯状材料で形成した
請求項４、又は、５に記載の指マッサージ具。
【請求項７】
上記差込部を複数備え、
上記引張り手段を、複数の上記差込部と一体に連結した一体型引張り手段で構成した
請求項３から６のいずれかに記載の指マッサージ具。
【発明の詳細な説明】
【技術分野】
【０００１】
この発明は、人の手や足の指を押圧することによりマッサージ効果を得ることのできる指マッサージ具に関する。
【背景技術】
【０００２】
指は、道具を扱う器用な動きが要求されるため、多数の細かな神経が存在し、さらに、キーボードの操作や食事の際に箸を扱うなど日常的に酷使されるため、血行が悪くなりがちであるとともに、むくみなどが生じやすい。
【０００３】
このため、指に押圧などにより刺激を与えることで、普段酷使している指先の疲労を回復することが期待できる。さらに、指に存在する多数の細かな神経は、脳と直結しているため、脳内の血行もよくなり、老化を防止することも期待できる。さらにまた、東洋医学では、指に存在する多数のツボを刺激することで、美容、ダイエット効果も得ることができるといった効果も謳われている。
【０００４】
このように指に刺激を与えるために指をマッサージすることのできる「指マッサージ器」が下記特許文献１において開示されている。
【０００５】
上記「指マッサージ器」は、指に取り付け可能に断面視略Ｃの字形状に湾曲した筐体を備え、該筐体には、回転軸を介して枢支された複数の加圧球を備えている。  
特許文献１の「指マッサージ器」は、指に嵌め込んで指の伸長方向へ移動させることで、上記加圧球が指の表面を転動し、押圧効果を得ることができるものである。
【０００６】
しかし、上記「指マッサージ器」に備えた加圧球は、筐体に枢支されているだけであるため、指に加える押圧力を変更することができない。
【０００７】
このため、例えば、使用者の指の太さによっては、痛みを感じてしまうことや、逆に、満足のいく押圧力で押圧できず、必ずしも「指マッサージ器」の使用者の性別、年代に応じた適切な押圧力でマッサージすることができないといった難点を有する。
【特許文献１】登録実用新案第３０５８４０１号公報
【発明の開示】
【発明が解決しようとする課題】
【０００８】
そこで、この発明は、人の手や足の指を所望の押圧力で押圧してマッサージすることのできる指マッサージ具の提供を目的とする。
【課題を解決するための手段】
【０００９】
本発明は、指を押圧してマッサージする指マッサージ具であって、上記指を差し込む略筒状の差込部を構成するとともに、該差込部に差し込んだ上記指を押圧する押圧部を構成し、上記差込部の差込方向の力を上記押圧部で押圧する径内方向の力に変更する力方向変更手段を備えたことを特徴とする。
【００１０】
上記略筒状の差込部には、円筒状などの筒状の差込部を示すが、さらに、例えば、環状（リング状）、周方向の一部に切り欠き溝を有する正面視Ｃの字型、或いは、正面視多角形の中空部を有した筒状の差込部をも含む。さらに、上記略筒状の差込部には、長さ方向において直線状に限らず、曲げ部分、屈曲部分を有する筒状の差込部であってもよい。
【００１１】
上記差込方向には、固定した状態の上記差込部に上記指を差し込む方向、固定した状態の上記指に上記差込部を差込む（嵌め込む）方向のいずれの方向をも含む。
【００１２】
上記力方向変更手段により、上記差込部の差込方向の力を、差込部へ差込んだ指を押圧する押圧力へ変更することができるため、上記差込部の差込方向の力を調節することにより、差込方向の力に応じた所望の押圧力で指を押圧することができる。
【００１３】
なお、本発明の指マッサージ具は、手の指に限らず、足の指に差込部を差込んで足の指のマッサージ用に用いてもよい。
【００１４】
この発明の態様として、上記押圧部に、上記差込部に差し込んだ上記指の側へ突出した突起を形成することができる。
【００１５】
上記構成により、上記突起が指に局所的に接触するため、効果的に指を押圧することができるため、優れたマッサージ効果を得ることができる。
【００１６】
またこの発明の態様として、上記差込部に、上記力方向変更手段の上記差込部に差し込んだ上記指の指先方向の引張りを許容する引張り手段を備え、上記力方向変更手段を、上記引張り手段の引張りに応じて上記押圧部による押圧力を発生させるよう縮径する縮径部材で形成することができる。
【００１７】
上記縮径部材は、例えば、木材、金属、紙、合成樹脂、植物、ゴム、或いは、綿や化学繊維で形成した生地、あるいは、これらを組み合わせたもので構成することができる。
【００１８】
上記構成により、上記引張り手段を引張ることにより上記差込部の差込方向の力を容易に得ることができる。  
従って、上記差込部の差込方向の力を容易に得ることで、差込部へ差込んだ指を容易に押圧することができる。
【００１９】
さらに、上記引張り手段を把持して引張ることで、上記縮径部材を直接、把持して引張る必要がなくなり、縮径部材が不要に型崩れすることを防止することができる。  
よって、上記差込部へ指を容易に差込むことができ、差込方向の引張りにより縮径部材をしっかりと収縮させることができる。
【００２０】
さらにまた、上記引張り手段を引張ることで、子供や女性などの細くて小さな指を差込部に差込んだ場合でも、縮径部材は、指をしっかりと保持した状態で縮径し、押圧することができる。
【００２１】
またこの発明の態様として、上記縮径部材を、差込方向に沿った螺旋状である螺旋状部で構成することができる。
【００２２】
上記螺旋状部も、上記縮径部材と同様に、例えば、木材、金属、紙、合成樹脂、植物、ゴム、或いは、綿や化学繊維で形成した生地、あるいは、これらを組み合わせたもので構成することができる。
【００２３】
殊に、上記植物で形成する場合には、丈夫であることから民具によく用いられるアダン（阿檀）の葉を用いることが好ましい。さらに、金属としては、スプリングや筒状に加工したワイヤー状のものを用いてもよい。
【００２４】
上記構成により、螺旋状部は、引張りにより螺旋を構成する各ピッチが広がるよう伸長するため、差込方向全体においてバランスよく縮径させることができる。よって、指の長さ方向全体をバランスよく押圧することができる。
【００２５】
またこの発明の態様として、上記螺旋状部を、第一螺旋状体と、該第一螺旋状体に対して螺旋方向が反対巻方向である第二螺旋状体とで構成し、上記差込部を、上記第一螺旋状体と上記第二螺旋状体とを交差させながら互いに編み込んだ編み物構造で構成することができる。
【００２６】
上記構成により、第一螺旋状体と、該第一螺旋状体に対して螺旋方向が反対巻方向である第二螺旋状体とは、相互に伸長することが阻害されないため、しっかりと伸長し、双方で効果的に指を押圧することができる。
【００２７】
さらに、このように上記差込み部を編み物構造で構成することにより、上記第一螺旋状体と上記第二螺旋状体とが互いに分離し難くなるため、引張りを繰り返しても、型崩れし難くなり、耐久性を向上させることができる。
【００２８】
上記差込部は、略筒状の形態で構成できるのであれば、上記第一螺旋状体と上記第二螺旋状体とにより上記編み物構造で構成するに限定せず、織物構造、或いは、編み物構造と織物構造とを組み合わせた構造で構成することができる。
【００２９】
またこの発明の態様として、上記螺旋状部を、帯状材料で形成することができる。
【００３０】
上記構成により、上記螺旋状部は、指に対して面接触した状態で、指を押圧することができるため、指全体を効果的に押圧することができる。
【００３１】
またこの発明の態様として、上記差込部を複数備え、上記引張り手段を、複数の上記差込部と一体に連結した一体型引張り手段で構成することができる。
【００３２】
上記構成により、手の各指を複数の差込部のそれぞれに適宜、差込み、その状態で一体型引張り手段を引張ることにより、差込部に差し込んだ各指を同時に押圧することができるため、容易に複数の指をマッサージすることができる。
【００３３】
本発明の指マッサージ具は、上記力方向変更手段を、上述したように螺旋状部などの上記縮径部材で構成するに限らず、上記差込部の差込方向の力を径内方向の上記押圧部による押圧力に変更することができる構造であれば、他の構成で構成することができる。
【００３４】
例えば、上記力方向変更手段は、差込方向へ進むに連れ先細りとなり、上記押圧部を押圧する楔型形状で形成することができる。
【００３５】
或いは、上記力付与方向変更手段は、差込部に差し込んだ指により力が付与される力点部、差込部に枢着される支点部、及び、指を押圧する作用点部を有したレバー部材で構成することができる。
【００３６】
さらにまた、指マッサージ具の長さ方向の所定部位に、上記差込部の外周に配される弧形状部分を有して差込方向へ配される紐状部材を備えた構成で構成した場合には、上記力付与方向変更手段を、上記紐状部材における上記弧形状部分を収縮自在に挿通許容するとともに、挿通した上記弧形状部分の基端部を係合保持する係合保持部材で構成することもできる。
【発明の効果】
【００３７】
本発明により、人の手や足の指を所望の押圧力で押圧してマッサージすることのできる指マッサージ具を提供することができる。
【発明を実施するための最良の形態】
【００３８】
この発明の一実施形態を以下図面と共に説明する。  
（第一実施形態）  
第一実施形態の指マッサージ具１１は、図１（ａ），（ｂ），（ｃ）に示すように形成している。  
なお、図１（ａ）は、指マッサージ具１１の右側面図であり、図１（ｂ）は、指マッサージ具１１の正面図である。図１（ｃ）は、指マッサージ具１１に指ｆ（人差し指ｆ１）を差し込んだ状態を示す指マッサージ具１１の一部を示す縦断面図である。  
ここで、以下の説明において、図１（ａ）中のＤ方向を指マッサージにおける長さ方向Ｄに設定する。さらに、図１（ａ）に示すように、指マッサージ具１１に指ｆを差し込む方向をＤ１方向に設定するとともに、Ｄ１方向と反対方向、すなわち、指マッサージ具１１から指ｆを抜く方向をＤ２方向に設定する。
【００３９】
上記指マッサージ具１１は、内部に指ｆを差し込み可能な差込孔１４を有した筒状の差込本体筒状部１２と、手で引張り可能に差込本体筒状部１２よりも細く絞って形成した引張り部１３とで全体を細長い形状で構成している。
【００４０】
なお、上記差込本体筒状部１２は、人差し指や中指でも差し込み可能に約１５０ｍｍ程度の長さで形成し、引張り部１３は、指先で摘んで引張り可能に約３０ｍｍ程度の長さで形成している。上記差込本体筒状部１２は、大よそ８ｍｍ〜１２ｍｍ程度の内径で形成している。
【００４１】
指マッサージ具１１は、上記差込本体筒状部１２から上記引張り部１３にかけての全体を後述する４本の帯状材料１５から構成している。
【００４２】
差込本体筒状部１２は、Ｄ２方向の端部側に、指ｆを差し込み可能に開口し、内部の差込孔１４と連通する差込み口１４Ａを有している。一方、差込孔１４のＤ１方向の端部は、閉塞して形成している。
【００４３】
さらに、差込本体筒状部１２は、上記帯状材料１５を長さ方向Ｄに沿って螺旋状に形成した８本の螺旋状部１６で構成している。該８本の螺旋状部１６は、４本の第一螺旋状体１６Ａと、該第一螺旋状体１６Ａに対して螺旋方向が反対巻方向である４本の第二螺旋状体１６Ｂとで構成している。
【００４４】
差込本体筒状部１２は、第一螺旋状体１６Ａと第二螺旋状体１６Ｂとを互いに交差させながら編み込んだ編み物構造で構成している。第一螺旋状体１６Ａと第二螺旋状体１６Ｂは、それぞれ長さ方向Ｄに対して左右各側に約３０度程度のリード角αで形成している（図１（ａ）参照）。
【００４５】
さらに、差込本体筒状部１２の内周面全体には、径内方向へ突出した複数の樹脂製の突起１７を配設している。
【００４６】
また、引張り部１３は、上記帯状材料のＤ１方向の端部側部分を撚り合わせ、さらに、その撚り合せ部分における端末部分を、解れないよう紐２５で結んで構成している。  
続いて上述した構成の指マッサージ具１１の製造方法について図２から図４を用いて説明する。  
なお、図２（ａ），（ｂ）は、それぞれ後述する第一帯状材料１５Ａの長さ方向の一部を示す側面図、平面図であり、図２（ｄ），（ｅ）は、それぞれ後述する第二帯状材料１５Ｂの長さ方向の一部を示す側面図、平面図である。図２（ｃ）は、後述する第一帯状材料１５Ａを逆Ｖの字形状に１回折りにした状態を示し、図２（ｄ）は、後述する第二帯状材料１５Ｂを略逆Ｖの字形状に２回折りにした状態を示す。図３（ａ１），（ａ２）は、いずれも後述する帯状材料組合せ体２６の平面図である。図３（ｂ）は、２つの帯状材料組合せ体２６を並べて組み合わせた状態の平面図である。図３（ｃ）は、２つ組み合わせた状態の帯状材料組合せ体２６の一部を拡大して模式的に示した平面図である。図４は、棒３２に帯状材料組合せ体２６を巻きつている様子を示す説明図である。
【００４７】
ここで、第一帯状材料１５Ａと第二帯状材料１５Ｂとは、それぞれ折り曲げ角度（θ）が約６０度になるよう折り曲げている（図２（ｃ），（ｆ）参照）。
【００４８】
指マッサージ具１１は、４本の長尺状の上記帯状材料１５を編み込んで構成し、上記４本の帯状材料１５は、図２（ａ），（ｂ）に示すような２本の第一帯状材料１５Ａと、図２（ｄ），（ｅ）に示すような２本の第二帯状材料１５Ｂとで構成している。
【００４９】
上記第一帯状材料１５Ａと第二帯状材料１５Ｂとは、互いに同一の幅、長さ、厚み、材質で形成している。  
なお、上記第一帯状材料１５Ａと第二帯状材料１５Ｂは、機能上、必要な強度を満足すれば特に材質、形状を限定せず形成することができる。例えば、民具としてよく用いられるアダン（阿檀）などの植物の葉を乾燥させたもの、樹脂、紙、金属、木材、又は、綿や化学繊維などの繊維質の材料で形成することができる。
【００５０】
さらに、図２（ａ），（ｂ），（ｄ），（ｅ）に示すように、上記第一帯状材料１５Ａと第二帯状材料１５Ｂとは、いずれも長さ方向に沿って複数の突起１７を配設している。  
これら複数の突起１７は、例えば、帯状材料１５の表面に溶着などにより固着する、或いは、帯状材料１５と一体成形するなどにより形成することができる。
【００５１】
複数の突起１７は、上記第一帯状材料１５Ａと第二帯状材料１５Ｂとでを異なる配置で配設している。
【００５２】
詳しくは、第一帯状材料１５Ａは、図２（ａ），（ｂ）に示すように、複数の突起１７を、その長さ方向の略中間部分Ｌ１を除く部分に、長さ方向に沿って所定ピッチｐごとに配設している。さらに、第一帯状材料１５Ａは、その長さ方向の略中間部分Ｌ１に対して一方の側と他方の側とで複数の突起１７を同一ピッチで形成しているが、上記一方の側の突起１７を、上記他方の側の突起１７に対して全て半ピッチ（ｐ／２）ずらした位置に形成している（図２（ｂ）参照）。
【００５３】
さらにまた、複数の突起１７は、第一帯状材料１５Ａの長さ方向の略中間部分Ｌ１に対して一方の側と、他方の側とで表裏の面を逆に形成している。  
詳しくは、第一帯状材料１５Ａの長さ方向の略中間部分Ｌ１に対して一方の側に形成した上記突起１７を、第一帯状材料１５Ａの一方の面側に形成するとともに、他方の側に形成した上記突起１７を、第一帯状材料１５Ａの他方の面側に形成している（図２（ａ）参照）。
【００５４】
一方、上記第二帯状材料１５Ｂは、図２（ｄ），（ｅ）に示すように、上記第一帯状材料１５Ａと同様に、複数の突起１７を、長さ方向の中間部分Ｌ２を除く部分に、長さ方向に沿って所定ピッチｐごとに配設している。さらに、第二帯状材料１５Ｂは、その長さ方向の略中間部分Ｌ２に対して一方の側と他方の側とで複数の突起１７を同一ピッチｐで形成しているが、上記一方の側の突起１７を、上記他方の側の突起１７に対して全て半ピッチ（Ｐ／２）ずらした位置に形成している（図２（ｅ）参照）。  
但し、上記第二帯状材料１５Ｂにおいては、複数の突起１７は、全て同一の面側にのみ形成している（図２（ｄ）参照）。  
第一帯状材料１５Ａ、及び、第二帯状材料１５Ｂを、このような形態で折り曲げると、複数の突起１７が全て同じ方向に突出する形態、すなわち、図２（ｃ），（ｆ）に示すように、正面側へあらわれる形態とすることができる。
【００５５】
続いて図３（ａ１）に示すように、第一帯状材料１５Ａと第二帯状材料１５Ｂとの各部分を、互いの折り曲げ部分を重ねるが、その際、互いに交差する部分が上下各側で交互に配されるよう重ねている。
【００５６】
このように組み合わせた一組の第一帯状材料１５Ａと第二帯状材料１５Ｂとを、帯状材料組合せ体２６と設定する。図３（ａ１）に示した帯状材料組合せ体２６と同様のものを図３（ａ２）に示すように、もう一つ作成し、合計２組の帯状材料組合せ体２６を用意する。
【００５７】
図３（ｂ）に示すように、これら２つの帯状材料組合せ体２６を、複数の突起１７が全て一方の面側にあらわれるよう並べてさらに組み合わせる。この場合も、２つの帯状材料組合せ体２６を、互いに交差する部分が上下各側で交互に配されるよう重ねる。  
なお、図３（ｂ）中の第一帯状材料１５Ａと第二帯状材料１５Ｂは、相互に重なりあった状態でも視認し易いようそれぞれ模様を付してあらわしている。
【００５８】
ここで、図３（ｂ）中、２つの帯状材料組合せ体２６における、左斜め下方向へ伸びる４本の帯状部分をそれぞれ第一帯状片２７に設定するとともに、右斜め下方向へ伸びる４本の帯状部分をそれぞれ第二帯状片２８に設定する。
【００５９】
また、帯状材料１５に複数の突起１７を配設した所定ピッチｐ（図２（ａ），（ｂ），（ｄ），（ｅ）参照）は、図３（ｃ）に示すように、例えば、  
ｐ＝２Ｗ／ｃｏｓ（θ／２）［ｍｍ］で設定している。  
ここで、Ｗは、帯状材料１５の帯幅であり、θは、図２（ｃ），（ｆ）に示したように、第一帯状材料１５Ａと第二帯状材料１５Ｂの折り曲げ角度である。なお、螺旋状部１６の長さ方向Ｄに対するリード角αは、θ／２で算出することができる。
【００６０】
続いて図４に示すように、２つの帯状材料組合せ体２６を、この状態で別途、備えた円柱状の棒３２に、複数の突起１７の有する側の面を棒３２の外周面に対向させた状態で、第一帯状片２７と第二帯状片２８とを螺旋状に巻きつけていく。
【００６１】
このとき、２つの帯状材料組合せ体２６のＤ２方向の端部をゴム紐３９などで縛って棒３２に固定しておくことが好ましい。そして、第一帯状片２７と第二帯状片２８とは、異なる螺旋巻き方向となるよう巻き付け、上述と同様に、互いに交差する部分が内外各側（上下各側）で交互に配されるよう重ねながら筒状になるよう棒３２の長さ方向（Ｄ１方向）へ向けて編み込むことにより編み込み構造を構成することができる。
【００６２】
差込本体筒状部１２の長さ分に相当する編み込み構造が完成した後は、棒３２を差込口１４Ａから抜きとれば、差込孔１４を有した中空状の差込本体筒状部１２を構成することができる。  
ここで螺旋状に形成した上記第一帯状片２７が差込本体筒状部１２における上記第一螺旋状体１６Ａに相当し、螺旋状に形成した上記第二帯状片２８が差込本体筒状部１２における上記第二螺旋状体１６Ｂに相当する。
【００６３】
また、このように差込本体筒状部１２を構成後に第一帯状片２７と第二帯状片２７とに存在する余長部分を、さらにＤ１方向へ向けて撚り進めることで、Ｄ１方向の端部側に縄状部分を構成することができ、該縄状部分の端末部を紐２５で結ぶことで引張り部１３を構成することができる。  
以上により指マッサージ具１１を構成することができる。なお、指マッサージ具１１は、上述した製造方法に限定せず、他の製造方法で形成してもよい。
【００６４】
以下、上記指マッサージ具１１の作用、効果について図５を用いて説明する。  
なお、図５（ａ）は、指マッサージ具１１の使用状態を示す説明図であり、図５（ｂ）は指マッサージ具１１の使用状態を断面により示した説明図である。
【００６５】
図１（ｃ）に示すように、使用者は、例えば、人差し指ｆ１全体を上記指マッサージ具１１の差込孔１４に差し込む。このとき、差込本体筒状部１２の内周面に人差し指ｆ１が軽く接触した差し込み状態で差込むことができる。
【００６６】
この状態で、図５（ａ）に示すように、使用者は、他方の手で引張り部１３を例えば、人差し指と親指の各指先で摘んた状態でＤ１方向に引張る。これにより、差込本体筒状部１２は、長さ方向Ｄへ伸長される。詳しくは、螺旋状部１６のリード角αが長さ方向Ｄに対して３０度程度から例えば、２５度程度になるまで伸長し、これに伴って差込本体筒状部１２は、図５（ｂ）に示すように縮径される。この差込本体筒状部１２の縮径により、複数の突起１７により人差し指ｆ１を効果的に押圧することができ、人差し指ｆ１を効果的にマッサージすることができる。
【００６７】
このように、引張り部１３をＤ１方向へ引張る引張り力Ｆに応じて差込本体筒状部１２は伸長し、縮径するため、引張り部１３を引張る引張り力Ｆを調節することにより任意の力で突起１７により指ｆ１を押圧することができる（図５（ａ）参照）。  
これにより、指ｆ１に押圧による刺激を与えることができ、血の循環を向上させることができ、むくみや筋肉の疲労を回復することができる。さらに、脳へ直結している指ｆ１の抹消の神経や血管を刺激することで脳内の血行もよくなり、老化を防止することができる。さらに、指ｆ１に存在する多数のツボを刺激することで、美容、ダイエット効果も期待することができる。
【００６８】
さらに、差込本体筒状部１２は伸長し、縮径するため、指ｆ１との摩擦力が向上するため、指ｆ１を押圧するだけでなく、指ｆ１を引っ張ることができるため、普段、伸ばすことがない指ｆ１を伸ばすことで、指の筋肉をストレッチして解すことができ、指の関節を柔軟にすることもできる。
【００６９】
なお、引張り部１３を強く引張る程、差込本体筒状部１２が縮径し、差込本体筒状部１２の内周面や突起１７と、人差し指との摩擦が増大するため、引張りにより人差し指が不測に差込孔１４から抜けることを確実に防ぐことができる。
【００７０】
また、差込本体筒状部１２は、編み物構造で構成し、優れた形状保持性を備えているため、引張りをやめると差込本体筒状部１２は、Ｄ２方向へ収縮する。また、意図的に差込本体筒状部１２の差込孔１４から人差し指ｆ１を抜く場合には、他方の手で差込み口１４Ａの縁部を摘んで軽く差込み口１４Ａを拡口させた状態とすれば、人差し指ｆ１を差込孔１４から容易に引抜くことができる。
【００７１】
さらにまた、複数の突起１７は、上述したように第一帯状材料１５Ａ、第二帯状材料１５Ｂとでそれぞれ異なる配置で配設しているため、編み込んだ第一帯状片と第二帯状片との互いの交差部分、すなわち、上記第一螺旋状体１６Ａと第二螺旋状体１６Ｂとの間には、突起１７が介在せず、差込本体筒状部１２の内周面にあらわれる部分にのみ突起１７を備えることができる（図１（ｃ），図５（ｂ）参照）。
【００７２】
このように複数の突起１７は、差込本体筒状部１２の内周面に確実にあらわれるため、差込本体筒状部１２が縮径することにより、差込孔１４へ差し込んだ指ｆ１を、しっかりと押圧して優れたマッサージ効果を得ることができる。
【００７３】
また、第一螺旋状体１６Ａと第二螺旋状体１６Ｂとの間には、突起１７が介在しないため、指マッサージ具１１を繰り返し使用した場合においても、第一螺旋状体１６Ａ、或いは、第二螺旋状体１６Ｂが突起１７と磨耗することにより劣化することを防止することができる。
【００７４】
なお、この差込本体筒状部１２が縮径することにより、複数の突起１７のみで差込んだ指ｆ１を押圧してもよく、差込本体筒状部１２の内周面と複数の突起１７との双方で指Ｆ１を押圧してもよい。
【００７５】
本発明の指マッサージ具は、第一実施形態の指マッサージ具１１の形態に限らず、他の実施形態で形成することができる。  
例えば、引張り部１３を細長い縄状に形成したが、この構成に限定せず、指マッサージ具１１は、長さ方向Ｄの全体を、差込本体筒状部１２と同様の筒状の編み物構造で構成してもよい。  
上記構成の場合、差込本体筒状部１２を引張る際には、差込本体筒状部１２と同様の筒状の編み物構造で構成したＤ１方向の延長部分を、直接、把持して引張ることができる。
【００７６】
また、引張り部１３は、指先で摘んで引張り可能に構成したが、この構成に限定せず、例えば、掌で握持して引張り可能な長さを備えて構成してもよい。
【００７７】
さらにまた、上記指マッサージ具１１は、複数の突起１７を、差込本体筒状部１２の内周面にのみあらわれるよう形成したが、この構成に限定せず、例えば、引張り部１３の外周側にも、突起１７を備えてもよい。  
上記構成により、引張り部１３を把持したときに、上記突起１７の押圧により掌を効果的にマッサージすることができる。
【００７８】
また、本発明の指マッサージ具１１は、複数の突起１７は、例えば、差込本体筒状部１２の外周面に形成してもよく、或いは、差込本体筒状部１２における第一螺旋状体１６Ａと第二螺旋状体１６Ｂとが交差する交差部分において、この間に突起１７が介在する形態も排除するものではない。
【００７９】
さらに、上記指マッサージ具１１は、複数の突起１７を備えていない帯状材料１５で差込本体筒状部１２を形成した後工程で、複数の突起１７を差込本体筒状部１２の内周面に形成した構成であってもよい。
【００８０】
また、突起１７は、該突起１７を正面視したとき、楕円状、矩形状で形成してもよく、さらに、離散状に形成するに限らず、差込本体筒状部１２の内周面に螺旋状、環状で形成しもよい。
【００８１】
また、上記指マッサージ具１１は、差込本体筒状部１２に突起１７を備えた構成を必須とせず、突起１７を有しないで差込本体筒状部１２を構成してもよい。この構成の場合、突起１７を有しない差込本体筒状部１２の内周面全体で指ｆ１を圧縮することになり、差込本体筒状部１２の内周面により指ｆ１全体を略均等に押圧することができるため、十分なマッサージ効果を得ることができる。
【００８２】
ここで、上述した第一実施形態と、この発明の構成との対応において、
差込本体筒状部１２は、差込部に対応し、
突起１７は、押圧部に対応し、
螺旋状部１６（第一螺旋状体１６Ａ、及び、第二螺旋状体１６Ｂ）は、力方向変更手段、縮径部材、或いは、螺旋状部、押圧部に対応し、
引張り部１３は、引張り手段に対応し、
Ｄ１方向は、上記差込部に差し込んだ上記指の指先方向に対応するものとする。
【００８３】
以下では、他の実施形態における指マッサージ具２１，３１，４１，５１，６１について説明する。  
但し、以下で説明する指マッサージ具２１，３１，４１，５１，６１の構成のうち、上述した第一実施形態における指マッサージ具１１と同様の構成については、同一の符号を付して、その説明を省略する。
【００８４】
（第二実施形態）  
第二実施形態における指マッサージ具２１は、図６に示すように、４本の差込本体筒状部２２Ａ，２２Ｂ，２２Ｃ，２２Ｄを並設した形態の差込本体筒状部群２２を備えて構成している。  
なお、図６は、第二実施形態における指マッサージ具２１を使用している様子を示す外観図である。
【００８５】
差込本体筒状部群２２は、それぞれ人差し指ｆ１、中指ｆ２、薬指ｆ３、小指ｆ４を差込可能な差込孔１４をそれぞれ有した人差し指用差込本体筒状部２２Ａ、中指用差込本体筒状部２２Ｂ、薬指用差込本体筒状部２２Ｃ、小指用差込本体筒状部２２Ｄから構成している。
【００８６】
人差し指用差込本体筒状部２２Ａ、中指用差込本体筒状部２２Ｂ、及び、薬指用差込本体筒状部２２Ｃの各差込孔１４は、いずれも略同径で形成し、それぞれに対応する指ｆ１，ｆ２，ｆ３，ｆ４を差し込んだとき、内周面に各指が軽く接触する程度の内径で形成している。
【００８７】
一方、小指用差込本体筒状部２２Ｄの差込孔１４は、小指ｆ４を差し込んだとき、内周面に軽く接触する程度に上記３本の差込本体筒状部１２よりも小径で形成している。
【００８８】
また、引張り部２３は、指マッサージ具２１のＤ１方向の端部側において、差込本体筒状部群２２の幅方向の中央部分に１本備え、人差し指用差込本体筒状部２２Ａ、中指用差込本体筒状部２２Ｂ、薬指用差込本体筒状部２２Ｃ、小指用差込本体筒状部２２ＤのＤ１方向の端部側に有する余長部分を一まとめに縄状に撚りあわせることで差込本体筒状部群２２と一体に連結されている。
【００８９】
上記構成の指マッサージ具２１は、引張り部２３を引張ることにより、４本の差込本体筒状部１２をまとめて一気に引っ張ることができる。これにより、４本の差込本体筒状部１２は、それぞれ縮径し、複数の突起１７により人差し指ｆ１、中指ｆ２、薬指ｆ３、小指ｆ４の各指ｆを押圧することができる。よって、指マッサージ具２１は、人差し指ｆ１、中指ｆ２、薬指ｆ３、小指ｆ４の各指ｆを同時にマッサージすることができる。また、人差し指ｆ１、中指ｆ２、薬指ｆ３、小指ｆ４の各指ｆを同時に引張ることができるため、各指ｆ１，ｆ２，ｆ３，ｆ４を同時にストレッチすることもできる。
【００９０】
さらにまた、第二実施形態における指マッサージ具２１は、人差し指ｆ１、中指ｆ２、薬指ｆ３、小指ｆ４の全てを差し込んで用いるに限らず、人差し指ｆ１、中指ｆ２、薬指ｆ３、小指ｆ４のうち、マッサージを施したい少なくとも一本の指ｆを、対応する差込本体筒状部（２２Ａ，２２Ｂ，２２Ｃ，２２Ｄ）の差込孔１４へ差し込んで用いてもよい。
【００９１】
また、本発明の指マッサージ具は、第二実施形態に限らず、他の実施形態で形成することができる。  
例えば、差込本体筒状部群は、親指ｆ５を差込可能な親指用差込本体筒状部を含めた５本の差込本体筒状部を備えて構成してもよい。このように差込本体筒状部群は、差込本体筒状部を少なくとも２本以上備えた構成で構成してもよい（図示せず）。
【００９２】
また、指マッサージ具は、左右各側の手の指に装着して互いを引っ張り合うことでマッサージを行なうことができるカップル型（対型）の構成であってもよい。  
詳しくは、右側の手の指ｆをそれぞれ差し込み可能な右手用差込本体筒状部群と、左側の手の指ｆをそれぞれ差し込み可能な左手用差込本体筒状部群とを備え、これら一対の差込本体筒状部群の間を連結する引張り部を備えたの構成であってもよい（図示せず）。
【００９３】
上記構成により、右手用差込本体筒状部群に右手の各指ｆを差込み、左手用差込本体筒状部群に左手の各指ｆを差込んだ状態で、両手が離間する方向へ互いに引張ることで、一対の差込本体筒状部を同時に縮径することができ、両手の指ｆを同時にマッサージすることができる。
【００９４】
ここで、上述した第二実施形態と、この発明の構成との対応において、
人差し指用差込本体筒状部２２Ａ、中指用差込本体筒状部２２Ｂ、薬指用差込本体筒状部２２Ｃ、及び、小指用差込本体筒状部２２Ｄは、差込部に対応し、
引張り部２３は、引張り手段に対応し、
Ｄ１方向は、上記差込部に差し込んだ上記指の指先方向に対応するものとする。
【００９５】
（第三実施形態）  
第三実施形態における指マッサージ具３１は、図７（ａ），（ｂ）に示すように、例えば、人差し指ｆ１を差込んだとき、人差し指ｆ１が内周面に軽く接触する程度の径を有する円筒状のスペーサ部材３２と、該スペーサ部材３２の外周に配されたスプリング３３と、該スプリング３３のＤ１方向の端部に連結した棒状の引張り部３４とで構成している。  
なお、図７（ａ）は、第三実施形態における指マッサージ具３１の外観図であり、図７（ｂ）は、第三実施形態における指マッサージ具３１の差込孔１４へ人差し指ｆ１を差込んだ状態を示す幅方向の中間部分の切断縦端面図である。
【００９６】
上記スペーサ部材３２は、Ｄ１方向の端部からＤ２方向へ切り欠いたスリット３５Ａを周方向において等分配するよう複数形成し、周方向における上記スリット３５Ａ間には、撓み変形可能な撓み許容片３５を構成している。スペーサ部材３２の内周面には、複数の突起１７を配設している。
【００９７】
スペーサ部材３２には、Ｄ２方向の端部の外周面に鍔状に突出した係合部３２Ａを備え、該係合部３２Ａに上記スプリング３３のＤ２方向の端部を係合している。
【００９８】
上記構成により、図７（ｂ）に示すように人差し指ｆ１をスペーサ部材３２に根元まで差込み、その状態で図８に示すように引張り部３４を引張ると、スプリング３３が長さ方向Ｄにおいて伸張する。  
なお、図８は、第三実施形態における指マッサージ具３１の使用状態を示す説明図である。
【００９９】
これによりスプリング３３は、縮径し、スペーサ部材３２を径内方向へ押圧する。スペーサ部材３２は、複数の撓み許容片３５を有しているため、スプリング３３の伸張とともに縮径し、突起１７により複数の指ｆを押圧してマッサージ効果を得ることができる。
【０１００】
さらに指マッサージ具３１は、スプリング３３と指ｆとの間にスペーサ部材３２を介在させることにより、スプリング３３を滑らかに伸縮させることが可能となり、また、スプリング３３が伸張して縮径するに伴ってスペーサ部材３２が縮径するため、スペーサ部材３２の内周面に形成した複数の突起１７により、指全体をバランスよく押圧することができる。
【０１０１】
このとき、スプリング３３は、スペーサ部材３２の係合部３２Ａに係合させているため、伸張させてもスペーサ部材３２が抜け出してしまうことがなく、スペーサ部材３２との一体性を確保することができる。  
なお、スペーサ部材３２の差込孔１４に差し込んだ人差し指ｆ１は、引張り部３４を引張る程、より一層、スペーサ部材３２が縮径して押圧されるため、差込孔１４から抜けることがない。
【０１０２】
また、指マッサージ具３１は、上記構成に限定せず、他の実施形態で構成することができる。  
例えば、スペーサ部材３２は、正面視Ｃ型の断面形状で構成してもよい。
【０１０３】
また、指マッサージ具３１は、スペーサ部材３２を備えずに、スプリング３３のみで構成した差込孔１４へ人差指ｆ１を差込み、スプリング３３を伸張させて縮径させることにより人差し指ｆ１をスプリング３３により直接、押圧する構成も排除しない。
【０１０４】
ここで、上述した第三実施形態と、この発明の構成との対応において、
スペーサ部材３２は、差込部に対応し、
スペーサ部材３２の内周面、或いは、突起１７は、押圧部に対応し、
スプリング３３は、力方向変更手段、或いは、縮径部材に対応し、
引張り部３４は、引張り手段に対応するものとする。
【０１０５】
（第四実施形態）  
第四実施形態における指マッサージ具４１は、図９（ａ），（ｂ）に示すように、５つの縮径許容環状部４２と、５つの縮径許容環状部４２を固着した棒状部４３と、該棒状部４３のＤ１方向の端側と一体に連結した引張り部４４とで構成している。  
なお、図９（ａ）は、第四実施形態における指マッサージ具４１の外観図を示し、図９（ｂ）は、第四実施形態における指マッサージ具４１の差込孔１４へ人差し指ｆ１を差込んだ状態を示す指マッサージ具４１の一部の縦断面図を示す。
【０１０６】
上記縮径許容環状部４２は、帯状に形成したテープ状部材４５と、該テープ状部材４５を係合保持可能な係合保持部材４６とで構成している。
【０１０７】
指マッサージ具４１は、５つの縮径許容環状部４２の各テープ状部材４５の両端部分を、棒状部４３の長さ方向Ｄに沿って所定間隔ごとに固着することで構成している。
【０１０８】
上記テープ状部材４５の一方の面（内周面）側に長さ方向に沿って複数の突起１７を配設している。
【０１０９】
上記縮径許容環状部４２は、テープ状部材４５を、複数の突起１７を有する側の面が内周側に位置するよう環状形態とし、その一方の周端部分を係合保持部材４６に固着し、その他方の周端部分を係合保持部材４６に形成した挿通孔４６ａへ挿通している。上記縮径許容環状部４２の上記他方の周端部分は、挿通孔４６ａへ挿通後に上述したように棒状部４３に固着している。
【０１１０】
指マッサージ具４１は、５つの上記縮径許容環状部４２により、５つの環状形態としたテープ状部材４５の内側を一体に連通する差込孔１４を構成している。
【０１１１】
上記構成により、使用者は、例えば人差し指ｆ１を差込孔１４に根元まで差込み、引張り部４４を引張る。そうすると、テープ状部材４５の長さ方向における棒状部４３に固着した側の端部が該棒状部４３に引張られるため、図１０に示すように、環状形態としたテープ状部材４５が係合保持部材４６によって絞られ、差込孔１４（テープ状部材４５）を縮径させることができる。  
これにより、指マッサージ具４１は、人差し指ｆ１を、複数の突起１７により押圧してマッサージすることができる。  
なお、図１０は、第四実施形態における指マッサージ具４１の使用状態を示す説明図である。
【０１１２】
ここで、上述した第四実施形態と、この発明の構成との対応において、
テープ状部材４５は、差込部に対応し、
テープ状部材４５の内周面、或いは、突起１７は、押圧部に対応し、
テープ状部材４５、及び、係合保持部材４６は、力方向変更手段、或いは、縮径部材に対応し、
引張り部４４は、引張り手段に対応するものとする。
【０１１３】
（第五実施形態）  
第五実施形態における指マッサージ具５１は、図１１（ａ），（ｂ）に示すように、差込本体部材５２と、差込本体部材５２の外周側に具備される円筒状のスライド部材５３とで構成している。  
なお、図１１（ａ）は、第五実施形態における指マッサージ具５１の外観図を示し、図１１（ｂ）は、第五実施形態における指マッサージ具５１の差込孔１４へ人差し指ｆ１を差込んだ状態を示す幅方向の中間部分を切断縦端面図である。
【０１１４】
差込本体部材５２は、内部に差込孔１４を有した略円筒状の部材で構成し、該円筒状の部材の長さ方向Ｄの所定の中途部分からＤ２方向へ進むに連れ、徐々に拡径した楔型形状で構成している。
【０１１５】
さらに、差込本体部材５２は、Ｄ２方向の端部からＤ１方向へ切り欠いたスリット５４Ａを周方向において等分配するよう複数形成し、周方向における上記スリット５４Ａ間には、撓み変形可能な撓み許容片５４を構成している。差込本体部材５２の内周面には、複数の突起１７を配設している。
【０１１６】
さらにまた、差込本体部材５２は、Ｄ１方向の端部側に、外周側に備えた円筒状スライド部材５３を当接可能な鍔部５３Ａを形成している。
【０１１７】
一方、上記スライド部材５３は、差込本体部材５２を挿通してスライド可能に該差込本体部材５２の外周径よりも一回り大きな内径を有する挿通孔４６ａを有した円筒状に構成している。
【０１１８】
上記構成により、スライド部材５３を差込本体部材５２のＤ１方向の端部側へ退避させておき、例えば、人差し指ｆ１を差込孔１４に差込む（図１１（ｂ）参照）。
【０１１９】
差込本体部材５２は、Ｄ２方向の端部から長さ方向の所定の中途部分にかけてＤ１方向へ進むに連れ、徐々に縮径した形態であるため、人差し指ｆ１を差込孔１４に根元まで差込んだとき、差込本体部材５２の内周面に人差し指ｆ１が接触し、撓み許容片５４が拡径する形態に撓み変形する（図１１（ｂ）参照）。
【０１２０】
この状態で使用者は、スライド部材５３をＤ２方向へ徐々にスライドさせる。そうすると、図１２に示すように、スライド部材５３は、差込本体部材５２の撓み許容片５４が拡径することを規制することができ、差込本体部材５２を、該差込本体部材５２の外径がスライド部材５３の内径になるまで縮径させることができる。  
これにより、指マッサージ具５１は、複数の突起１７により指ｆ１を押圧し、マッサージすることができる。  
なお、図１２は、第五実施形態における指マッサージ具５１の使用状態を示す用説明図である。
【０１２１】
また、指マッサージ具５１は、差込本体部材５２の長さ方向Ｄにおいてスライド部材５３を備えた部分において特に指ｆ１を強く押圧することができるため、適宜、スライド部材５３を長さ方向Ｄにおいてスライドさせることで、指の全体をよりしっかりと押圧してマッサージすることができる。
【０１２２】
ここで、上述した第五実施形態と、この発明の構成との対応において、
差込本体部材５２は、差込部に対応し、
差込本体部材５２の内周面、或いは、突起１７は、押圧部に対応し、
差込本体部材５２、及び、スライド部材５３は、力方向変更手段、或いは、縮径部材に対応するものとする。
【０１２３】
（第六実施形態）  
第六実施形態における指マッサージ具６１は、図１３（ａ）に示すように、人差し指ｆ１を差し込み可能な差込孔１４を有した円筒状部材６２と、該円筒状部材６２の内周面に枢着された複数の押圧レバー６３とで構成している。  
なお、図１３（ａ）は、第六実施形態における指マッサージ具６１の構成を示す断面図である。
【０１２４】
上記押圧レバー６３は、該押圧レバー６３の枢着部分６３ｃに対してＤ１方向側へ備えた作用点側レバー構成体６３Ａと、Ｄ２方向側へ備えた力点側レバー構成体６３Ｂとで構成し、作用点側レバー構成体６４Ａと力点側レバー構成体６３Ｂとは、例えば、ヘの字形状に屈曲した形態をはじめとして例えば、９０度から１２０度の間のうち所定角度のなす角で構成したものを複数備えている。  
上記押圧レバー６３（作用点側レバー構成体６３Ａ、力点側レバー構成体６３Ｂ）の先端部には、ゴム製の球状部６３ａを備えている。
【０１２５】
円筒状部材６２の差込孔１４に人差し指ｆ１を差し込む前においては、複数の押圧レバー６３は、全て作用点側レバー構成体６３Ａが径内方向へ突出する形態で退避している。なお、図示しないが、押圧レバー６３が常時、このような退避姿勢が維持されるよう付勢するバネを備えるなどして構成することができる。
【０１２６】
上記構成により、図１３（ｂ）に示すように、使用者は、人差し指ｆ１を円筒状部材６２の差込孔１４に指ｆ１を差し込むと、円筒状部材６２の差込孔１４に径内方向へ突出した作用点側レバー構成体６３Ａに人差し指が接触する。これにより、押圧レバー６３は、円筒状部材６２の内周面への枢着部分６３ｃを支点として枢動する。そうすると、力点側レバー構成体６３Ｂの球状部６３ａにより指ｆ１を押圧することができる。  
なお、図１３（ｂ）は、第六実施形態における指マッサージ具６１の使用状態を示す説明図である。
【０１２７】
よって、指ｆ１を差し込もうとすればする程、作用点側レバー構成体６３Ａに力が作用するため、力点側レバー構成体６３Ｂにより指ｆ１を効果的に押圧してマッサージすることができる。同時に、指は、作用点側レバー構成体６３Ａに作用する力の反作用力も受けるため、作用点側レバー構成体６３Ａによっても指ｆ１が押圧され、マッサージ効果を得ることができる。
【０１２８】
ここで、上述した第六実施形態と、この発明の構成との対応において、
円筒状部材６２は、差込部に対応し、
押圧レバー６３（力点側レバー構成体６３Ｂ、作用点側レバー構成体６３Ａ）、又は、球状部６３ａは、押圧部に対応し、
球状部６３ａは、突起に対応し、
押圧レバー６３は、力方向変更手段、或いは、縮径部材に対応し、
ゴム製の球状部６３ａは、突起に対応するものとする。
【０１２９】
この発明は、上述したように、上述した実施形態の構成のみに限定されるものではなく、多くの実施の形態を得ることができる。
【図面の簡単な説明】
【０１３０】
【図１】第一実施形態の指マッサージ具の構成説明図。
【図２】第一実施形態の指マッサージ具の製造方法の説明図。
【図３】第一実施形態の指マッサージ具の製造方法の説明図。
【図４】第一実施形態の指マッサージ具の製造方法の説明図。
【図５】第一実施形態の指マッサージ具の作用説明図。
【図６】第二実施形態の指マッサージ具の構成説明図。
【図７】第三実施形態の指マッサージ具の構成説明図。
【図８】第三実施形態の指マッサージ具の作用説明図。
【図９】第四実施形態の指マッサージ具の構成説明図。
【図１０】第四実施形態の指マッサージ具の作用説明図。
【図１１】第五実施形態の指マッサージ具の構成説明図。
【図１２】第五実施形態の指マッサージ具の作用説明図。
【図１３】第六実施形態の指マッサージ具の構成説明図。
【符号の説明】
【０１３１】
１１，２１，３１，４１，５１，６１…指マッサージ具
１２…差込本体筒状部
１３，２３，３４，４４…引張り部
１４…差込孔
１５…帯状材料
１６…螺旋状部
１６Ａ…第一螺旋状体
１６Ｂ…第二螺旋状体
１７…突起
２２Ａ…人差し指用差込本体筒状部
２２Ｂ…中指用差込本体筒状部
２２Ｃ…薬指用差込本体筒状部
２２Ｄ…小指用差込本体筒状部
３２…スペーサ部材
３３…スプリング
４２…縮径許容環状部
４５…テープ状部材
４６…係合保持部材
５２…差込本体部材
５３…スライド部材
６２…円筒状部材
６３…押圧レバー
６４…レバー構成体
６４Ａ…作用点側レバー構成体
６４Ｂ…力点側レバー構成体
【図１】
2010099111.tif 000003
【図２】
2010099111.tif 000004
【図３】
2010099111.tif 000005
【図４】
2010099111.tif 000006
【図５】
2010099111.tif 000007
【図６】
2010099111.tif 000008
【図７】
2010099111.tif 000009
【図８】
2010099111.tif 000010
【図９】
2010099111.tif 000011
【図１０】
2010099111.tif 000012
【図１１】
2010099111.tif 000013
【図１２】
2010099111.tif 000014
【図１３】
2010099111.tif 000015